(57)【要約】【課題】ユーザが容易に開封することができる見出部付き広告印刷物を提供する。【解決手段】一枚の横長寸法の紙片が折り畳まれて形成される見出部付き広告印刷物１０であって、折返用仮想折れ線ａで側紙部１１と折返部１２とに区画される本紙部１３と、側紙部１１が２回以上折り畳まれることにより形成された階段状の段差からなる見出部１５とを有し、折返部１２が、見出部１１を覆いつつ、折返用仮想折れ線ａで側紙部１１側に折り返されると共に、折り畳まれた状態の側紙部１１の最外面１１１に接着、又は粘着されている。【選択図】図１
2018065353.tif 000002
【特許請求の範囲】
【請求項１】
一枚の横長寸法の紙片が折り畳まれて形成される見出部付き広告印刷物であって、
折返用仮想折れ線で側紙部と折返部とに区画される本紙部と、
前記側紙部が２回以上折り畳まれることにより形成された階段状の段差からなる見出部と、を有し、
前記折返部が、前記見出部を覆いつつ、折返用仮想折れ線で前記側紙部側に折り返されると共に、折り畳まれた状態の前記側紙部の最外面に接着、又は粘着されていることを特徴とする見出部付き広告印刷物。
【請求項２】
前記側紙部に返信用葉書部が形成されており、
前記返信用葉書部は、前記側紙部が折り畳まれた状態で前記側紙部の内面側となる位置に形成されていることを特徴とする請求項１に記載の見出部付き広告印刷物。
【請求項３】
前記側紙部の外周縁が、接着又は粘着されていないことを特徴とする請求項１、又は２に記載の見出部付き広告印刷物。
【発明の詳細な説明】
【技術分野】
【０００１】
本発明は、新聞や雑誌などに折り込まれたり、書店などの店頭で配布される見出部付き広告印刷物に関する。
【背景技術】
【０００２】
新聞などに折り込まれて配布される広告印刷物は、一枚の紙面の両側に商品情報を印刷したものが一般的である。このような形式の広告印刷物は、日常的によくみられるものとなってきており、広告印刷物に印刷される広告情報量を増加させたり、ユーザの商品に対する購買意欲を惹起するよう表現方法などに特別な工夫を図っている。
【０００３】
例えば、広告印刷物に印刷される広告情報量を増加させたとしても、ユーザが広告印刷物に印刷された広告情報を見つけやすい広告印刷物として、特許文献１に開示されたような見出部付き広告印刷物がある。特許文献１に開示された見出部付き広告印刷物は、複数の見出部を設けることによって、ユーザが広告印刷物に印刷された広告情報の中から欲しい情報を簡単に見つけることができた。
【先行技術文献】
【特許文献】
【０００４】
【特許文献１】特開２００５−１６９８３６号公報
【発明の概要】
【発明が解決しようとする課題】
【０００５】
しかしながら、特許文献１に開示されたような見出部付き広告印刷物をユーザに送付する際、送付時に広告印刷物が開かないような構成とする必要があり、広告印刷物の周縁部に剥離可能な粘着剤を塗布して封止するか、この見出部付き広告印刷物を送付用の封筒に封入する必要があった。さらに、広告印刷物の周縁部を接着、又は粘着した場合、ユーザが広告印刷物に印刷された広告情報を見るためには、粘着箇所を剥離し、開封する必要があり、煩わしい手間を嫌うユーザは広告印刷物を開封することなく破棄してしまうことがあった。
【０００６】
本発明は、上記課題に鑑みて、広告印刷物のユーザへの送付時に広告印刷物が開かず、ユーザが容易に開封することができる見出部付き広告印刷物を提供することにある。
【課題を解決するための手段】
【０００７】
上記課題を解決するためになされた本発明の見出部付き広告印刷物は、一枚の横長寸法の紙片が折り畳まれて形成される広告印刷物であって、折返用仮想折れ線で側紙部と折返部とに区画される本紙部と、前記側紙部が２回以上折り畳まれることにより形成された階段状の段差からなる見出部と、を有し、前記折返部が、前記見出部を覆いつつ、折返用仮想折れ線で前記側紙部側に折り返されると共に、折り畳まれた状態の前記側紙部の最外面に接着、又は粘着されていることを特徴とする。
この構成により、折返部により、広告印刷物のユーザへの送付時に広告印刷物が開かず、またこの折返部を開封することにより、折り畳まれた状態にある側紙部を簡単に開封することができ、ユーザが容易に広告印刷物に印刷された広告情報を煩わしい手間をかけることなく、見ることができる。
【０００８】
また、本発明の見出部付き広告印刷物は、前記側紙部に返信用葉書部が形成されており、前記返信用葉書部は、前記側紙部が折り畳まれた状態で前記側紙部の内面側となる位置に形成されていることを特徴とする。
この構成により、返信用葉書が外部に露出しないため、ユーザへの送付の際、返信用葉書が分離することを抑制することができる。
【０００９】
また、本発明の見出部付き広告印刷物は、前記側紙部の外周縁は、接着又は粘着されていないことを特徴とする。
この構成により、ユーザは、折り畳まれた側紙部が接着又は粘着されていないため、側紙部に印刷された広告情報を簡単に見ることができる。
【発明の効果】
【００１０】
本発明の見出部付き広告印刷物は、折返部により、広告印刷物のユーザへの送付時に広告印刷物が開かず、またこの折返部を開封することにより、折り畳まれた状態にある側紙部を簡単に開封することができ、ユーザが容易に広告印刷物に印刷された広告情報を煩わしい手間をかけることなく、見ることができる。
【図面の簡単な説明】
【００１１】
【図１】本実施形態の見出部付き広告印刷物が折り畳まれた状態を示す平面図である。
【図２】本実施形態の見出部付き広告印刷物の展開図である。
【図３】本実施形態の見出部付き広告印刷物の側紙部を１回折り畳んだ状態を示す平面図である。
【図４】本実施形態の見出部付き広告印刷物の折返部を２回折り畳んだ状態を示す平面図である。
【図５】本実施形態の見出部付き広告印刷物を開いた状態を示す平面図である。
【発明を実施するための最良の形態】
【００１２】
以下、本発明に係る見出部付き広告印刷物の形態について、添付図面に基づいて詳細に説明する。図１は、本実施形態の見出部付き広告印刷物が折り畳まれた状態を示す平面図であり、また図２は、本実施形態の見出部付き広告印刷物の展開図である。
【００１３】
本実施形態の見出部付き広告印刷物１０は、図１、２に示す通り、一枚の横長寸法の紙片が折り畳まれて形成され、折返用仮想折れ線ａで側紙部１１と折返部１２とに区画される本紙部１３と、側紙部１１が２回以上折り畳まれることにより形成された階段状の段差からなる見出部１４とを有する。また、見出部付き広告印刷物１０は、折返部１２が、見出部１４を覆いつつ、折返用仮想折れ線ａで側紙部１１側に折り返されると共に、折り畳まれた状態の側紙部１１の最外面１１１に接着、又は粘着されている。
【００１４】
本紙部１３は、一枚の横長寸法の紙片から形成されており、折返用仮想折れ線ａで側紙部１１と折返部１２とに区画されている。
【００１５】
側紙部１１は、図２に示す複数の仮想折れ線で区画されている。ここで、複数の仮想折れ線のうち、側紙部１１の中央近傍に設けられた仮想折れ線を、中央仮想折れ線ｂとし、中央仮想折れ線ｂの左側、又は右側に設けられた仮想折れ線を、それぞれ左仮想折れ線ｃ、右仮想折れ線ｄとする。
【００１６】
本実施形態では、側紙部１１が２回折り畳まれる構成について、以下説明する。先ず、側紙部１１は、中央仮想折れ線ｂで折り畳まれる。その際、側紙部１１の左側端辺１１ａが、折返用仮想折れ線ａに対して見出幅Ｘ１だけ横方向にずれた位置となるように折り畳まれるとよい（図３を参照）。ここで、側紙部１１が中央仮想折れ線ｂで折り畳まれた状態を側紙部１１が１回折り畳まれた状態とし、左仮想折れ線ｃと右仮想折れ線ｄとが裏表で同じ位置となるよう折り畳まれている。例えば図３では、左仮想折れ線ｃと右仮想折れ線ｄとは、符号ｃ（ｄ）と示す。なお、側紙部１１が中央仮想折れ線ｂで折り畳まれて形成された折辺を折辺１１ｂとする。例えば図２では、中央仮想折れ線ｂと折辺１１ｂとは、符号１１ｂ（ｂ）と示す。
【００１７】
次に、側紙部１１は左仮想折れ線ｃ及び右仮想折れ線ｄで折り畳まれる。その際、側紙部１１の折辺１１ｂが側紙部１１の左側端辺１１ａに対して見出幅Ｘ２だけ横方向にずれた位置となるように折り畳まれるとよい（図４を参照）。ここで、側紙部１１が左仮想折れ線ｃ及び右仮想折れ線ｄで折り畳まれた状態を側紙部１１が２回折り畳まれた状態とする。なお、見出幅Ｘ１と見出幅Ｘ２とは、同じ幅寸法でも、それぞれ異なる幅寸法であってもよい。
【００１８】
このように側紙部１１が２回以上折り畳まれることにより形成された階段状の段差を、見出部１４という。なお、見出部１４には、ユーザの興味を引く見出情報を印刷しておくとよい。
【００１９】
折返部１２は、図４に示すように側紙部１１が２回折り畳まれた状態で、見出部１４を覆いつつ、側紙部１１側に折り返され、折り畳まれた状態の側紙部１１の最外面１１１に接着、又は粘着される。ここで、折返部１２の寸法は、見出部１４を覆うことができる寸法であればよく、見出部１５の寸法に合わせて適宜変更すると好ましい。さらに、折返部１２の表面は、ユーザに開封を促すようなメッセージを印刷する印刷スペースとして利用することができる。一方、折返部１２の裏面も、広告情報等の印刷スペースとして利用することが可能である。
【００２０】
また、図２に示すように折返部１２は、その側端辺１２ａに沿って、所定幅の剥離可能な接着剤、又は粘着剤が、直線状、又はドット状に塗布されている。接着剤、又は粘着剤は、一過性の接着力、又は粘着力が圧力を加えられることで得られる感圧接着剤、感圧粘着剤を好適に用いることができる。このように折返部１２が折り畳まれた状態の側紙部１１の最外面１１１に剥離可能に接着、又は粘着されていることにより、見出部付き広告印刷物１０は封止された状態となるため、側紙部１１の外周縁に沿って、剥離可能な接着剤又は粘着剤を塗布する必要はない。
【００２１】
また、本紙部１３の側紙部１１に、返信用葉書部１５を形成してもよい。返信用葉書部１５は、図２に示すようにその外周にカット線１５ａが形成され、カット線１５ａを分離することにより、側紙部１１から分離させることができる（図５を参照）。
【００２２】
ここで、側紙部１１における返信用葉書部１５を形成する位置は、側紙部１１が折り畳まれた状態で側紙部１１の内面側となる位置に形成されていると好ましい。例えば、側紙部１１が中央仮想折れ線ｂで折り畳まれた際、図３に示された側紙部１１の上側の面に返信用葉書部１５が形成されているとよい。図２〜図４に示すように側紙部１１を折り畳んだ場合、返信用葉書部１５は、側紙部１１の内面側に位置することになる。すなわち、返信用葉書部１５は、見出部付き広告印刷物１０が折り畳まれた状態で外部に露出せず、例えば新聞折込等の際に返信用葉書部１５が側紙部１１から分離してしまう事態を避けることができる。なお、側紙部１１に返信用葉書部１５が形成されている場合は、返信用葉書部１５を折り畳まない位置に仮想折れ線を設けるとよい。
【００２３】
このように構成された見出部付き広告印刷物１０は、図２に示された状態から、図３に示すように、側紙部１１が中央仮想折れ線ｂで折り畳まれることにより、側紙部１１が１回折り畳まれた状態となる。ここで、側紙部１１の左側端辺１１ａは、折返用仮想折れ線ａに対して見出幅Ｘ１だけ横方向にずれた位置となるように折り畳まれる。
【００２４】
次に、側紙部１１が１回折り畳まれた状態から、図４に示すように、側紙部１１は、左仮想折れ線ｃ、及び右仮想折れ線ｄで折り畳まれることにより、側紙部１１が２回折り畳まれた状態となる。ここで、側紙部１１の折辺１１ｂは、側紙部１１の左端辺１１ａに対して見出幅Ｘ２だけ横方向にずれた位置となるように折り畳まれる。
【００２５】
そして、折返部１２が、図４に示すように側紙部１１が２回折り畳まれた状態で、見出部１４を覆いつつ、側紙部１１側に折り返され、折り畳まれた状態の側紙部１１の最外面１１１に接着、又は粘着される（図１を参照）。このように折返部１２が側紙部１１の最外面１１１に接着、又は粘着されていることにより、見出部付き広告印刷物１０が開封可能（剥離可能）に封止され、新聞折込等の際に、一体物として取扱いが可能な圧着チラシとなる。
【００２６】
以上のように構成された見出部付き広告印刷物１０は、折返部１２が側紙部１１の最外面１１１から剥がされることにより、ユーザは容易に開封することができる。また、見出部付き広告印刷物１０の折返部１２の表面は、見出部１５と比して、ユーザに開封を促すようなメッセージを印刷するための印刷スペースとして十分なサイズを有しているため、ユーザの注目を引くことができる。また、側紙部１１が、複数の仮想折れ線で折り畳まれることにより、側紙部１１の印刷スペースを増加させることができ、側紙部１１に印刷できる広告情報量を増加させることが可能となる。
【００２７】
また、見出部付き広告印刷物１０は、見出部１４が設けられていることにより、見出部付き広告印刷部１０に印刷される広告情報が増えた場合であっても、ユーザが希望する広告情報を見つけやすい。
【００２８】
また、見出部付き広告印刷物１０の返信用葉書部１５が、側紙部１１が折り畳まれた状態で側紙部１１の内面側となる位置に形成されていることにより、返信用葉書部１５が外部に露出しないため、例えば新聞折込等の際に、返信用葉書部１５が側紙部１１から分離してしまう事態を避けることができる。
【００２９】
また、見出部付き広告印刷物１０は、折り畳まれた側紙部１１の外周縁が接着又は粘着されていないことにより、ユーザは折り畳まれた側紙部１１をそれぞれ剥がさなくても開封することができ、ユーザは側紙部１１に印刷された広告情報を簡単に見ることができる。
【００３０】
〔実施形態の変形例等〕
本明細書開示の発明は、各発明や実施形態の構成の他に、適用可能な範囲で、これらの部分的な構成を本明細書開示の他の構成に変更して特定したもの、或いはこれらの構成に本明細書開示の他の構成を付加して特定したもの、或いはこれらの部分的な構成を部分的な作用効果が得られる限度で削除して特定した上位概念化したものを含み、下記の変形例等も包含する。
【００３１】
上述した実施形態では、本発明の見出部付き広告印刷物１０は、側紙部１１が２回折り畳まれた構成について説明したが、本紙部１３の横方向寸法を延長させ、側紙部１１が３回以上折り畳まれる構成としてもよい。
【符号の説明】
【００３２】
１０…見出部付き広告印刷物
１１…側紙部
１２…折返部
１３…本紙部
１４…見出部
１５…返信用葉書部
ａ…折返用仮想折れ線
ｂ…中央仮想折れ線
ｃ…左仮想折れ線
ｄ…右仮想折れ線
【図１】
2018065353.tif 000003
【図２】
2018065353.tif 000004
【図３】
2018065353.tif 000005
【図４】
2018065353.tif 000006
【図５】
2018065353.tif 000007